(57)【要約】【課題】本発明は緩み防止用の多条ねじに関し、例えば自動車、家電製品、電子機器部品、複写機等の事務用機器、さらにはデジタルカメラのような光学機器、また、携帯電話器、精密機器等の部品の取付に最適に使用されるものである。【解決手段】１条のねじ山よりなる多数の第１ねじ山部１と１条のねじ山よりなる多数の第２ねじ山部２とで構成され、第１ねじ山部相互間に第２ねじ山部が設けられ、第１ねじ山部の高さＨ１が、第２ねじ山部の高さＨ２よりも高くされ、第１ねじ山部の山角αが、第２ねじ山部の山角βよりも小さくされ、第１ねじ山部１のリード角θ１が、第２ねじ山部２のリード角θ２に略同一にされ、第１ねじ山部が、その山頂部１ａから歯元部１ｂに向かって全体的として断面円弧状をなす滑らかな曲面側部４を有する。【選択図】図１
2010216638.tif 000002
【特許請求の範囲】
【請求項１】
１条のねじ山よりなる多数の第１ねじ山部と１条または複数のねじ山よりなる多数の第２ねじ山部とで構成された多条ねじであって、
前記第１ねじ山部相互間に、前記第２ねじ山部が設けられ、かつ、前記第１ねじ山部の高さが、前記第２ねじ山部の高さよりも高くされた多条ねじにおいて、
前記第１ねじ山部の山角が、前記第２ねじ山の山角よりも小さくされ、
前記第１ねじ山部のリード角が、前記第２ねじ山部のリード角に略同一にされ、
前記第１ねじ山部が、その山頂部から歯元部に向かって全体的として断面円弧状をなす滑らかな曲面側部を有している
ことを特徴とする緩み防止用の多条ねじ。
【請求項２】
前記第２ねじ山部のねじ山高さが、前記第１ねじ山部のねじ山高さの略１／２以下にされていることを特徴とする請求項１に記載の緩み防止用の多条ねじ。
【請求項３】
前記第１ねじ山部の山角が、１５度〜３０度にされていることを特徴とする請求項１または２に記載の緩み防止用の多条ねじ。
【請求項４】
前記第２ねじ山部の山角が、６０度〜１００度にされていることを特徴とする請求項１〜３の何れか１項に記載の緩み防止用の多条ねじ。
【請求項５】
前記第１ねじ山部相互間に、前記第２ねじ山部が１条設けられていることを特徴とする請求項１〜４の何れか１項に記載の緩み防止用の多条ねじ。
【請求項６】
前記第１ねじ山部相互間に、前記第２ねじ山部が２条設けられていることを特徴とする請求項１〜４の何れか１項に記載の緩み防止用の多条ねじ。
【発明の詳細な説明】
【技術分野】
【０００１】
本発明は緩み防止用の多条ねじに関し、例えば自動車、家電製品、電子機器部品、複写機等の事務用機器、さらにはデジタルカメラのような光学機器、携帯電話器、精密機器等の部品の取付に最適に使用されるものである。
【背景技術】
【０００２】
従来、締結後の緩みを防止できるロックねじとして、軸の外周に第１のリード角でもって形成された第１のねじ山と、上記軸の外周に上記第１のねじ山と同じ旋回方向に上記第１のリード角と異なる第２のリード角でもって上記第１のねじ山よりも低い高さに形成され、上記第１のねじ山に交差する第２のねじ山を備えたロックねじがあった。そして、このロックねじは、被締結部材に回転されながらねじ込まれると、第１のリード角とは異なる第２のリード角をもち、第１のねじ山よりも低い第２のねじ山が旋回方向に回転されて行き、高い第１のねじ山が第１のリード角で深い螺旋溝を切り、低い第２のねじ山が第２のリード角で浅い螺旋溝をきりつつ被締結材に侵入することにより、ねじ軸全体がねじ込まれ、締結が完了する。また、被締結部材の振動で、締結後のロックねじが緩み方向に回転しようとすると、第１のねじ山、および第２のねじ山が、夫々のリード角で切った螺旋溝に密着するので、緩み方向の回転に対する抵抗力が大きく、緩みを防止する。また、鋭角をなす第１のねじ山、および第２のねじ山の先細の交差部に、被締結部材の一部が押し込まれ、ロックねじの緩み方向の回転が阻止されるというものがあった（特許文献参照。）。
【先行技術文献】
【特許文献】
【０００３】
【特許文献１】特開平８−８６３０６号公報
【発明の概要】
【発明が解決しようとする課題】
【０００４】
特許文献に記載の上記従来のロックねじは、第１のリード角を有する第１のねじ山に対して第２のリード角を有する第２のねじ山が交差し、しかも、第１のねじ山、および第２のねじ山の山角が大きいので、ロックねじを被締結材に螺入する場合のドライブトルクが大きくなり、操作性が悪いという欠点があった。
【０００５】
また、特許文献に記載の上記従来のロックねじは、第１のリード角を有する第１のねじ山に対して第２のリード角を有する第２のねじ山が交差しているので、ロックねじを被締結材に螺入して行く場合に、第１のねじ山、および第２のねじ山の先細の交差部に被締結部材の切削された一部が押し込まれることにより、嵩高になる。従って、この嵩高になった被締結部材の切削部材の一部により、ロックねじの回転操作時に、タッピングされるべき被締結部材の溝部が、第１のねじ山、および第２のねじ山の先細の交差部に押し込まれた嵩高の前記被締結部材の一部による接触による摩擦力が非常に大きくなるので、破壊され易くなり、溝部が綺麗な仕上がりにはならずに分断されたり、破壊や変形を生ずるため、ロックねじを螺退し、再使用する場合に、螺入時のドライブトルクがかかると溝部が欠けたり、また、雌ねじ孔と第１のねじ山、および第２のねじ山との間の隙間が大きくなる結果、ロックねじは緩み易くなり、再使用に適するものではなかった。
【０００６】
しかも、特許文献に記載の上記従来のロックねじは、被締結部材が木材や鋼板を対象として使用されるものであるが、昨今では、特に家電製品、電子機器部品、複写機等の事務用機器、デジタルカメラ等の光学機器や精密機器の取付けに供されるねじは、アルミニウムのような軽量であり、かつ、軟らかい金属であるとか、合成樹脂であるとか、の数種の材料にも、使用されるという、要請がある。このように、金属、或いは合成樹脂であるとか、また、軟らかい、或いは硬い、また、熱的変形に弱い、或いは強い、また、締結部材が薄くて、塑性変形し易い等の種々の異なる特性に答えて使用されるねじのニーズが高まりをみせているが、これらの要請に答えて使用されるねじには、ドライブトルクが低く簡単な取扱い操作により螺入が行え、螺入後には、緩まずに、大きな戻しトルクにより、振動に耐え得る確実な保持力が得られることが望まれている。
【０００７】
本発明は上記従来の問題点を精査し、アルミニウムのように軽量であり、かつ、軟らかい金属や合成樹脂等の材料に使用するのに最適であり、被締結部材に対する螺入時のドライブトルクが低く簡単な取扱いにて操作性が良く螺入が行え、また、螺入後の緩み防止に優れ、大きな戻しトルクにより、振動に耐え得る確実な保持力が得られ、さらには、構造的な強度が大きく、製作するのに量産可能であり、製作コストが安価な緩み防止用の多条ねじ、およびその多条ねじの取付部材を提供することを目的とする。
【課題を解決するための手段】
【０００８】
本発明の請求項１に記載の発明は、
１条のねじ山よりなる多数の第１ねじ山部と１条または複数のねじ山部よりなる多数の第２ねじ山部とで構成された多条ねじであって、
前記第１ねじ山部相互間に、前記第２ねじ山部が設けられ、かつ、前記第１ねじ山部の高さが、前記第２ねじ山部の高さよりも高くされた多条ねじにおいて、
前記第１ねじ山部の山角が、前記第２ねじ山の山角よりも小さくされ、
前記第１ねじ山部のリード角が、前記第２ねじ山部のリード角に略同一にされ、
前記第１ねじ山部が、その山頂部から歯元部に向かって全体的として断面円弧状をなす滑らかな曲面側部を有している
ことを特徴とする。
【０００９】
また、本発明の請求項２に記載の発明は、請求項１において、前記第２ねじ山部のねじ山高さが、前記第１ねじ山部のねじ山高さの略１／２以下にされていることを特徴とする。
【００１０】
また、本発明の請求項３に記載の発明は、請求項１または２において、前記第１ねじ山部の山角が１５度〜３０度にされていることを特徴とする。
【００１１】
また、本発明の請求項４に記載の発明は、請求項１〜３の何れか１項において、前記第２ねじ山部の山角が、６０度〜１００度にされていることを特徴とする。
【００１２】
また、本発明の請求項５に記載の発明は、請求項１〜４の何れか１項において、前記第１ねじ山部相互間に、前記第２ねじ山部が１条設けられていることを特徴とする。
【００１３】
また、本考案の請求項６に記載の発明は、請求項１〜４の何れか１項において、前記第１ねじ山部相互間に、前記第２ねじ山部が２条設けられていることを特徴とする。
【発明の効果】
【００１４】
本発明の請求項１に記載の発明によれば、１条のねじ山よりなる多数の第１ねじ山部と１条または複数のねじ山部よりなる多数の第２ねじ山部とで構成された多条ねじであって、前記第１ねじ山部相互間に、前記第２ねじ山部が設けられ、かつ、前記第１ねじ山部の高さが、前記第２ねじ山部の高さよりも高くされた多条ねじにおいて、前記第１ねじ山部の山角が、前記第２ねじ山の山角よりも小さくされ、前記第１ねじ山部のリード角が、前記第２ねじ山部のリード角に略同一にされ、前記第１ねじ山部が、その山頂部から歯元部に向かって全体的として断面円弧状をなす滑らかな曲面側部を有しているので、被取付部材に対する螺入時に、ねじ山高さが高い第１ねじ山部の山角は、第２ねじ山部の山角よりも小さく、先鋭なため、被取付部材の取付孔の内周に円滑且つ迅速に螺旋溝を描いて食い込むから、螺入時のドライブトルクが低く簡単な取扱いにて操作性が良く螺入が行える。そして、第１ねじ山部が、山頂部から歯元部に向かって全体的として断面円弧状をなす滑らかな曲面側部を有しているので、この全体的として断面円弧状をなす滑らかな曲面側部に、タッピングされた被取付部材の取付孔の内周が大きな接触面積により接触することにより、摩擦係合力が大きくなり、さらに、前記曲面側部が、被取付部材の取付孔の内周に接触面積を増やし、さらに、締め付けながら静水圧をかけて強度をもたせることができるから、大きな保持力を発揮する。そして、第２ねじ山部が、第１ねじ山部よりもねじ山高さが低く、前記第１ねじ山部間に、第１ねじ山部に対して略同一のリード角により形成されているので、被締結部材に設けられた取付孔内に簡単かつ円滑に螺入操作が行えるとともに、螺退操作が行える。しかも、第１ねじ山部間に、第１ねじ山部よりもねじ山高さが低く形成された第２ねじ山部が、被締結部材に設けられた取付孔内に食い込むのと、前述のように第１ねじ山部に山頂部から歯元部に向かって全体的として断面円弧状をなす滑らかな曲面側部が、多条ねじの螺入時に被取付部材の取付孔の内周に大きな接触面積により接触されて螺入されるのと、曲面側部が、被取付部材の取付孔の内周に静水圧がかかって、強度がアップされて食い込むのとから、大きな戻しトルクが発揮され、外部的な振動に耐え得る確実な保持力が得られるため、優れた緩み防止機能を発揮する。そして、請求項１に記載の緩み防止用の多条ねじによれば、前述のように、第１ねじ山部が、山頂部から歯元部に向かって全体的として断面円弧状をなす滑らかな曲面側部が、前記第１ねじ山部よりもねじ山高さが低く、前記第１ねじ山部間に形成された第２ねじ山部に向かって設けられているので、被取付部材に設けられた取付孔の内周に第１ねじ山部が螺入されて食い込まれ、雌ねじ孔が形成されて行く時に生ずる切削屑は、第１ねじ山部に、山頂部から歯元部に向かって全体的として断面円弧状をなす滑らかな前記曲面側部に沿って円滑に誘導されるため、緩み防止用の多条ねじの回転操作時に、タッピングされる被取付部材の雌ねじ孔が破壊されずに綺麗な仕上がりに済むので、緩み防止ねじを螺退し、複数回再使用することができる。そして、特許文献に記載の従来のロックねじのように、雌ねじ孔と第１のねじ山、および第２のねじ山との間の隙間が大きくなり、緩み易くなるという不都合は解消される。従って、本実施形態１の緩み防止ねじは、例えば、硬い金属はもとより、アルミニウムのように軽量であり、かつ軟らかい金属、また、被取付部材が薄くて、塑性変形し易く、また、摩擦により発生される熱による熱的変形に弱い合成樹脂等の種々の異なる材料に使用するのに適する。さらには、本実施形態１の緩み防止用ねじは、第１ねじ山部が、山頂部から歯元に向かって全体的として断面円弧状をなす滑らかな曲面側部を対向して設けているので、被取付部材に対する螺入時、または螺退時において、曲面側部が引っ張り、ねじれ、圧縮に耐え、構造的に大きな強度を発揮する。さらには、断面略円弧状をなす曲面側部を対向して設けている第１ねじ山部、および第２ねじ山部は、例えば転造ダイスを用いることにより軸体部の外周に形成するのが容易であるので、量産可能であり、製作および加工が容易に行える。
【００１５】
また、本発明の請求項２に記載の発明によれば、請求項１項において、前記第２ねじ山部のねじ山高さが、前記第１ねじ山部のねじ山高さの略１／２以下にされているので、被取付部材に対する螺入時に、ねじ山高さが高い第１ねじ山部は、被取付部材の取付孔の内周に円滑且つ迅速に螺旋溝を描いて食い込まれるから、螺入時のドライブトルクが低く簡単な取扱いにて操作性が良く螺入が行える。そして、第１ねじ山部にその山頂部から歯元部に向かって設けられた全体的として断面円弧状をなす滑らかな曲面側部が、接触面積が増大されることにより、静水圧をかけ、強度をもたせている被取付部材の取付孔の内周に、螺入後には第１ねじ山部のねじ山高さに対して略１／２以下のねじ山高さが低い第２のねじ山部が螺入されることにより、摩擦係合力が増し、大きな戻しトルクを発揮し、緩みは防止される。
【００１６】
また、本発明の請求項３に記載の発明によれば、請求項１または２において、前記第１ねじ山部の山角が、１５度〜３０度にされているので、被取付部材に設けられた取付孔の内周に山角が、１５度〜３０度に形成されている先鋭な歯先の第１ねじ山部が抵抗が少なく、螺入されて食い込まれ、螺入時のドライブトルクが低く、簡単な取扱いにて操作性が良く螺入が行え、引張り、または圧縮に対しても強度を発揮する。また、第１ねじ山部の山頂部から歯元部に向かって設けられた全体的として断面円弧状をなす滑らかな曲面側部が、接触面積が増えることにより、静水圧をかけ、強度をもたせて食い込んでいる被取付部材の取付孔の内周に、螺入後においては第１ねじ山部、および第１ねじ山部よりもねじ山高さが低い第２ねじ山部が、螺入されていることにより、摩擦係合力が増し、大きな戻しトルクを発揮し、緩みは防止される。
【００１７】
また、本発明の請求項４に記載の発明によれば、請求項１〜３の何れか１項において、前記第２ねじ山部の山角が、６０度〜１００度にされているので、被取付部材に対する螺入時に、ねじ山高さが高い第１ねじ山部は、被取付部材の取付孔の内周に円滑且つ迅速に螺旋溝を描いて食い込む。そして、第１ねじ山部の山頂部から歯元部に向かって設けられた全体的として断面円弧状をなす滑らかな曲面側部が、接触面積が増大されて静水圧をかけ、強度をもたせて食い込んでいる被取付部材の取付孔の内周に、螺入後においては第１ねじ山部のねじ山高さに対して略１／２以下のねじ山高さの第２のねじ山部が螺入されることにより、摩擦係合力が増し、大きな戻しトルクを発揮し、緩みは防止される。
【００１８】
また、本発明の請求項５に記載の発明によれば、請求項１〜４の何れか１項において、前記第１ねじ山部相互間に、前記第２ねじ山部が１条設けられているので、被取付部材に対する螺入時に、ねじ山高さが高い第１ねじ山部は、被取付部材の取付孔の内周に円滑且つ迅速に螺旋溝を描いて食い込むから、螺入時のドライブトルクが低く、簡単な取扱いにて操作性が良く螺入が行える。そして、第２ねじ山部が、第１ねじ山部よりもねじ山高さが低く、前記第１ねじ山部間に第１ねじ山部に対して略同一のリード角により形成されているので、螺入後においては第２ねじ山部が、大きな戻しトルクを発揮し、外部的な振動に耐え得る確実な保持力が得られるため、優れた緩み防止を発揮する。また、緩み防止用の多条ねじは、第１ねじ山部相互間に前記第２ねじ山部が１条設けられているので、構造が簡単であり、製作は容易である。
【００１９】
また、本考案の請求項６に記載の発明によれば、請求項１〜４の何れか１項において、前記第１ねじ山部相互間に、前記第２ねじ山部が２条設けられているので、被取付部材に対する螺入時に、ねじ山高さが、高い第１ねじ山部は、被取付部材の取付孔の内周に円滑且つ迅速に螺旋溝を描いて食い込むから、螺入時のドライブトルクが低く、簡単な取扱いにて操作性が良く螺入が行える。そして、第２ねじ山部が、第１ねじ山部よりもねじ山高さが低く、前記第１ねじ山部間に第１ねじ山部に対して略同一のリード角により２条形成されているので、被取付部材の取付孔の内周に第２ねじ山部が螺入された後には、大ききな戻しトルクが発揮され、外部的な振動に耐え得る確実な保持力が得られるため、優れた緩み防止を発揮する。また、第１ねじ山部相互間に前記第２ねじ山部が２条設けられているので、構造が簡単であり、製作は容易である。
【図面の簡単な説明】
【００２０】
【図１】図１は本発明の緩み防止用の多条ねじの第１実施形態を示す正面図である。
【図２】図２は同じく平面図である。
【図３】図３は同じく説明的な断面図である。
【図４】図４同じく使用状態を示す説明的な拡大断面図である。
【発明を実施するための形態】
【００２１】
＜実施形態１＞
以下、図１乃至図４を参照し、本発明の実施の形態１について、詳細に説明する。
【００２２】
本実施形態１の緩み防止用の多条ねじは、図１、図２に示すように、軸体部３Ａの外周に、１条のねじ山よりなる多数の第１ねじ山部１と１条のねじ山よりなる多数の第２ねじ山部２とで構成された多条ねじであって、前記第１ねじ山部１,１・・・相互間に、前記第２ねじ山部２が設けられ、かつ、前記第１ねじ山部１の高さＨ１が、前記第２ねじ山部２の高さＨ２よりも高くされた多条ねじである点は、例えば特許文献に掲載の発明と同様である。
【００２３】
しかしながら、本実施形態１の緩み防止用の多条ねじは、前記第１ねじ山部１の山角αが、前記第２ねじ山部２の山角βよりも小さくされ、前記第１ねじ山部１のリード角θ１が、前記第２ねじ山部２のリード角θ２に略同一にされ、前記第１ねじ山部１が、その山頂部１ａから歯元部１ｂに向かって全体的として断面円弧状をなす滑らかな曲面側部４を有していることを特徴とする。
【００２４】
また、前記第２ねじ山部２のねじ山高さＨ２が、前記第１ねじ山部１のねじ山高さＨ１の略１／２以下にされている。
【００２５】
そして、前記第１ねじ山部１の前記山角αが、１５度〜３０度に設定されることが好ましい。これは、前記第１ねじ山部１の前記山角αが、１４度以下であると、この山角αがより先鋭になることにより、第１ねじ山部１の歯先は被取付部材１０の取付孔１１への螺入時に、取付孔１１の内周に食い込み易くなり、螺入時のドライブトルクが低くなり、操作性が良く、螺入が行えるが、反面、第１ねじ山部１の歯先が先鋭になって大きなドライブトルクがかかると、第１ねじ山部１の強度が低下してカケや変形を生じて構造的に脆弱になるためである。また、前記第１ねじ山部１の山角αが、３１度以上であると、第１ねじ山部１の山角αが増大して強度が増すことにより、第１ねじ山部１の歯先は被取付部材１０の取付孔１１に対する摩擦力が増大して螺入時における、取付孔１１の内周への食い込みが悪くなり、ドライブトルクが高くなって操作性が悪くなり、反面、第１ねじ山部１の歯先が、カケ、変形を生ぜずに、構造的に堅牢になるためでる。さらに、好適にはこの実施形態１では、図示するように、第１ねじ山部１の山角αは、２０度にされることが好ましい。そして、ねじ山高さＨ１が、第２ねじ山部２のねじ山高さＨ２よりも高い第１ねじ山部１の山角αが、前述のように、１５度〜３０度に設定されて強度が確保された状態で雌ねじ孔は、被取付部材１０の内周に直接、タッピングされることにより形成され、緩み防止ねじ自体は、第２のねじ山部２のねじ山高さＨ２を第１ねじ山部１のねじ山高さＨ１よりも低くすることにより軽量化がはかれる。
【００２６】
また、前記第２ねじ山部２の山角βが、６０度〜１００度にされることが好ましい。これは、前記第２ねじ山部２の山角βが、５９度以下であると、第２ねじ山部２の山角βが小さくなることにより、第２ねじ山部２は、被取付部材１０の取付孔１１への螺入時に、この取付孔１１の内周に食い込み易くなるが、取付孔１１の内周に対する接触面積が少なくなって摩擦係合力が小さくなり、被取付部材１０の取付孔１１の内周に対する保持力は小さくなる。また、前記第２ねじ山部２の山角βが、１０１度以上であると、第２ねじ山部２の山角βが大きくなることにより、第２ねじ山部２の被取付部材１０の取付孔１１への螺入時に、取付孔１１の内周に対する接触面積が増大し、摩擦係合力が大きくなり、被取付部材１０の取付孔１１の内周に対して大きな保持力を発揮するが、反面、第２ねじ山部２は取付孔１１の内周に食い込み難くなり、ドライブトルクが大きくなって操作性が低下するためである。さらに、好適にはこの実施形態１では、図示するように、第２ねじ山部１の山角βは、９０度にされることが好ましい。
【００２７】
この時、本実施形態１の緩み防止用ねじは、数サイズのものが用意され、例えば第１ねじ山部１のねじ外径φ１が１ｍｍの場合は、ねじ山高さＨ１は０．２ｍｍ、第２ねじ山部２のねじ山高さＨ２は０．０８ｍｍである。また、第１ねじ山部１のねじ外径φ１が５ｍｍの場合は、ねじ山高さＨ１は１．０ｍｍ、第２ねじ山部２のねじ山高さＨ２は０．４ｍｍである。また、第１ねじ山部１,１・・・間のピッチＰ１は、ねじ外径φ１が１ｍｍの場合は、０．６ｍｍであり、ねじ外径φ１が５ｍｍの場合は、３．０ｍｍである。そして、第２ねじ山部２,２・・・間のピッチＰ２は、ねじ外径φ１が１ｍｍの場合は、０．３ｍｍであり、ねじ外径φ１が５ｍｍの場合は、１．５ｍｍであるが、これらは例示であり、その増減変更は自由である。
【００２８】
また、前記曲面側部４の曲率半径Ｒは、ねじ外径φ１が１ｍｍの場合は、０．１５５ｍｍであり、ねじ外径φ１が５ｍｍの場合は、０．７７５ｍｍであるが、これらは例示であり、その増減変更は自由である。
【００２９】
そして、図１、図２に示される本実施形態１では、前記第１ねじ山部１,１・・・相互間に、前記第２ねじ山部２が１条設けられている。
【００３０】
３Ｂは前記軸体部３Ａの一側に設けられたねじ頭部である。また、３Ｃはねじ頭部３Ｂに設けられたリセスであり、このリセス３Ｃ内に図には示さないドライバの先端部が挿入されることにより本実施形態１の緩み防止用の多条ねじは回動操作される。
【００３１】
また、前記被取付部材１０が、例えば鉄、ステンレス、チタンのような硬い金属、またはアルミニウム、マグネシウムのような軟らかい金属、または薄くて、塑性変形し易く、また、摩擦により発生される熱による熱的変形に弱い合成樹脂により形成されている。また、この合成樹脂としては、例えばアクリル樹脂、ポリエチレン樹脂、ポリスチレン樹脂、ポリプロピレン樹脂、ポリカーボネート樹脂、ポリアミド樹脂のほか、前記何れかから選ばれる合成樹脂に炭素繊維、ガラス繊維、金属繊維の何れかが混入されたものが使用されるが、これらは代表的な例示である。
【００３２】
本実施形態１の緩み防止用の多条ねじは以上の構成のように、１条のねじ山よりなる多数の第１ねじ山部１と１条のねじ山よりなる多数の第２ねじ山部２とで構成された多条ねじであって、前記第１ねじ山部１,１・・・相互間に、前記第２ねじ山部２が設けられ、かつ、前記第１ねじ山部１の高さＨ１が、前記第２ねじ山部２の高さＨ２よりも高くされた２条ねじであり、この２条ねじは、前記第１ねじ山部１の山角αが、前記第２ねじ山部２の山角βよりも小さくされ、前記第１ねじ山部１のリード角θ１が、前記第２ねじ山部２のリード角θ２に略同一にされ、前記第１ねじ山部１が、その山頂部１ａから歯元部１ｂに向かって全体的として断面円弧状をなす滑らかな曲面側部４を有しているので、ねじ頭部３Ｂに設けたリセス３Ｃ内に図には示さないが、ドライバの先端部を挿入して回動操作する被取付部材１０に対する螺入時に、例えば第１ねじ山部１のねじ外径φ１が１ｍｍの場合は、第２ねじ山部２のねじ山高さＨ２が０．０８ｍｍに対してねじ山高さＨ１は０．２ｍｍと、また、ねじ外径φ１が５ｍｍの場合は、第２ねじ山部２のねじ山高さＨ２が０．４ｍｍであるのに対してねじ山高さＨ１は１．０ｍｍと高く形成されている第１ねじ山部１の歯先は、先鋭な山角αを有して薄く形成されて抵抗が少ないため、被取付部材１０の取付孔１１の内周に円滑且つ迅速に螺旋溝が描かれて食い込んで行くから、螺入時のドライブトルクが低く、簡単な取扱いにて操作性が良く螺入が行える。
【００３３】
この時、前記第１ねじ山部１の山角αが、鋭い鋭角、具体的には、前記第１ねじ山部１の山角αが、１５度〜３０度、さらに好ましくは、２０度に形成されて前述のように、ねじ山高さＨ１が高く形成されているとともに、前記第２ねじ山部２の山角βが、前記第１ねじ山部１の山角αよりも大きく、６０度〜１００度、さらに好ましくは９０度に形成されているので、抵抗力が増し、しかも、ねじ山高さＨ２が第１ねじ山部１のねじ山高さＨ１の略１／２以下と低いので、ねじ山高さＨ１が高く、その山角αが鋭い鋭角により形成された第１ねじ山部１が、被取付部材１０に設けた取付孔１１の内周に円滑且つ迅速に螺旋溝を描いて食い込むから、本実施形態１の緩み防止用の多条ねじは、被取付部材１０に対する螺入時に、ねじ頭部３Ｂに設けたリセス３Ｃ内にドライバの先端部を挿入して回動操作することにより、ドライブトルクが低く簡単な取扱いにて操作性が良く螺入が行える。
【００３４】
そして、第１ねじ山部１が、山頂部１ａから歯元１ｂに向かって全体的として断面円弧状をなす滑らかな曲面側部４を設けているので、この山頂部１ａから歯元１ｂに向かって全体的として断面円弧状をなした曲面側部４が、被取付部材１０の取付孔１１の内周に対して大きな接触面積により接触することにより、摩擦係合力が大きくなり、さらに、曲面側部４が、被取付部材１０の取付孔１１の内周に対して静水圧がかかることで、強度をもたせることができるから、大きな保持力を発揮する。
【００３５】
例えば、第１ねじ山部１が、山頂部１ａから歯元１ｂに向かって全体的として断面円弧状をなす滑らかな曲面側部４は、その曲率半径Ｒが、ねじ外径φ１が１ｍｍの場合は、０．１５５ｍｍであり、また、ねじ外径φ１が５ｍｍの場合は、０．７７５ｍｍであり、被取付部材１０の取付孔１１の内周に対する接触面積は増大される。
【００３６】
そして、第２ねじ山部２は、前述のように第１ねじ山部１よりもねじ山高さＨ１が低く、かつ第１ねじ山部１の山角αより山角βが大きく、しかも、第２ねじ山部２は、前記第１ねじ山部１,１・・・間にそのリード角θ２が、第１ねじ山部１のリード角θ１に略同一にされているので、第１ねじ山部１が被取付部材１０に螺入されるのに伴い、第２ねじ山部２が被取付部材１０の取付孔１１の内周に対して大きな接触面積により接触されて螺入されるのと、前記曲面側部４が、被取付部材１０の取付孔１１の内周に静水圧がかかることにより、強度をもたせて食い込まれるのとから、大きな戻しトルクが発揮され、外部的な振動に耐えて確実な保持力が得られるため、優れた緩み防止を発揮する。
【００３７】
そして、本実施形態１の緩み防止用の多条ねじによれば、前述のように、第１ねじ山部１が、山頂部１ａから歯元１ｂに向かって全体的として断面円弧状をなす滑らかな曲面側部４が、前記第１ねじ山部１よりもねじ山高さＨ２が低く、前記第１ねじ山部１,１・・間に形成された第２ねじ山部２に向かって設けられているので、図４に示す如く取付部材１０に設けられた取付孔１１の内周に第１ねじ山部１が螺入されて食い込まれ、雌ねじ孔が形成されて行く時に生ずる切削屑は、第１ねじ山部１に、山頂部１ａから歯元１ｂに向かって全体的として断面円弧状をなす滑らかな曲面側部４に沿って抵抗が軽減されて円滑に誘導されるため、緩み防止用の多条ねじとしてのタッピングねじの回転操作時に、タッピングされる被取付部材１０の雌ねじ孔が第１ねじ山部１によるタッピングにより破壊されて分断されたり、変形して形崩れがない。このため、緩み防止ねじの螺退時に、雌ねじ孔が綺麗な仕上がりのまま、緩み防止ねじは螺退されるから、再び雌ねじ孔内に緩み防止用ねじを螺入した場合に、迅速かつ確実に緩み防止用ねじを螺入して再使用をすることができる。そして、特許文献に記載の従来のロックねじとは異なり、雌ねじ孔と第１ねじ山部１、および第２ねじ山部２との間の隙間が大きくなり、ねじが緩み易くなるという不都合はない。従って、本実施形態１の緩み防止ねじは、例えば、鋼材、ステンレス、チタンのような硬い金属はもとより、アルミニウムのように軽量であり、かつ軟らかい金属、また、被取付部材１０が薄くて、塑性変形し易く、また、摩擦により発生される熱による熱的変形に弱い合成樹脂等の、種々の異なる材料に使用する場合に、螺入時のドライブトルクが低く簡単な取扱いにて操作性が良く螺入が行え、大きな曲率半径Ｒの末広がりの曲面側部４が、被取付部材１０の取付孔１１の内周に対して静水圧がかかることで、強度をもたせることができるので、大きな保持力を発揮し、第２ねじ山部２が雌ねじ孔に摩擦係合することにより、大きな戻しトルクが発揮され、外部的な振動に耐えて確実な保持力が得られるため、優れた緩み防止を発揮する。そして、例えば自動車であるとか、家電製品の洗濯機のような振動を生ずるものの緩みを防止するのに最適に使用できるほか、電子機器部品、複写機等の事務用機器、さらには、デジタルカメラのような光学機器、携帯電話器、精密機器等の部品の取付に最適に使用される。
【００３８】
なお、上記説明では、第１ねじ山部１,１・・相互間に、第２ねじ山部２が１条設けられた２条ねじにつき代表的に説明したが、本発明はこれに限ることなく、図には示さないが、第１ねじ山部１,１・・相互間に、第２ねじ山部２が複数条、例えば２条設けられた場合にも適用でき、被取付部材１０に対する螺入時に、ねじ山高さＨ１が高い第１ねじ山部１,１・・の歯先は、被取付部材１０の取付孔１１の内周に円滑且つ迅速に螺旋溝を描いて食い込むから、螺入時のドライブトルクが低く簡単な取扱いにて操作性が良く螺入が行える。そして、この実施形態では、第２ねじ山部２は、第１ねじ山部１のねじ山高さＨ１よりもねじ山高さＨ２が低く、前記第１ねじ山部１,１・・間に、この第１ねじ山部１,１・・のリード角θ１に対して略同一のリード角θ２により２条形成されているので、緩み防止用ねじの螺入後においては、第２ねじ山部２が大きな戻しトルクを発揮し、外部的な振動に耐え得る確実な保持力が得られるため、優れた緩み防止を発揮することができる。そして、第１ねじ山部１,１・・相互間に、前記第２ねじ山部２が２条設けられた３条ねじなので、構造が簡単であり、製作は容易であるという効果を奏する。
【産業上の利用可能性】
【００３９】
本発明は、アルミニウムのように軽量であり、かつ軟らかい金属や合成樹脂等の材料に使用するのに最適であり、被締結部材に対する螺入時のドライブトルクが低く、簡単な取扱いにて操作性が良く螺入が行え、また、螺入後の緩み防止に優れ、大きな戻しトルクにより、振動に耐え得る確実な保持力が得られ、さらには構造的な強度が大きく、製作するのにも量産可能で製作コストが安価になるという用途・機能に適する。
【符号の説明】
【００４０】
１    第１ねじ山部
１ａ  山頂部
１ｂ  歯元部
２    第２ねじ山部
３Ａ  軸体部
４    曲面側部
１０  被取付部材
１１  取付孔
Ｒ    曲率半径
α    山角
β    山角
【図１】
2010216638.tif 000003
【図２】
2010216638.tif 000004
【図３】
2010216638.tif 000005
【図４】
2010216638.tif 000006